(57)【特許請求の範囲】
【請求項１】
光学部と、前記光学部の外縁に設けられた一又は二以上の支持部とを有する眼内レンズを設置するレンズ設置部と、
前記眼内レンズを変形させる移行部と、
前記眼内レンズを放出するノズル部と、
前記レンズ設置部に設置された眼内レンズを押出すスライダーと、
前記スライダーにより押し出された前記眼内レンズを前記ノズル部から放出するプランジャーと
を備える眼内レンズ挿入器具において、
前記スライダーは、レンズ進行軸の後方向に配置された前記支持部を押し上げる第１当接部と、前記眼内レンズの後方側の外縁部に当接する一又は二以上の第２当接部と
を有することを特徴とする眼内レンズ挿入器具。
【請求項２】
前記第２当接部が、レンズ進行軸に対して前記第１当接部よりも外側に設けられたことを特徴とする請求項１記載の眼内レンズ挿入器具。
【請求項３】
前記第１当接部が、レンズ進行方向に向かって下方へ傾斜していることを特徴とする請求項１又は２記載の眼内レンズ挿入器具。
【請求項４】
少なくとも一つの前記第２当接部が、
前記光学部の表面に対し略直角な面を有するｘ方向当接面と、
前記光学部の表面に対し略平行な面を有するｙ方向当接面と
を有することを特徴とする請求項１〜３のいずれか１項に記載の眼内レンズ挿入器具。
【請求項５】
前記第２当接部へ前記光学部の外縁部を誘導する誘導部が設けられていることを特徴とする請求項１〜４のいずれか１項に記載の眼内レンズ挿入器具。
【請求項６】
前記第２当接部が、レンズ進行軸を中心として左右一対設けられていることを特徴とする請求項１〜５のうちいずれか１項に記載の眼内レンズ挿入器具。
【発明の詳細な説明】
【技術分野】
【０００１】
本発明は、白内障手術により摘出した水晶体の代わりに、眼球内に眼内レンズを挿入するための眼内レンズ挿入器具に関する。
【背景技術】
【０００２】
白内障手術においては、超音波乳化吸引（ＰＥＡ）による混濁した水晶体の除去、及び水晶体除去後の眼内レンズの埋植が広く行われている。眼内レンズにはその光学部がＰＭＭＡなどの硬質の材料からなる硬質眼内レンズと、シリコーンエラストマー、軟性アクリル、ハイドロゲルなどの柔らかい材料からなる軟性眼内レンズとがある。【０００３】
硬質眼内レンズを使用する際には光学部の径とほぼ同じ幅の切開創を角膜、あるいは強膜に作成してレンズを挿入しなければならないのに対し、軟性眼内レンズを使用する際には光学部を折り畳むことにより光学部の径より小さな切開創から挿入することができる。【０００４】
手術後の角膜乱視や感染症を低減するためには、小さな切開創からレンズが挿入されることが好ましく、現在では軟性眼内レンズが好まれる傾向にある。軟性眼内レンズのタイプとしては、光学部が軟性材料、支持部がＰＭＭＡ等の硬質材料からなるタイプ（このタイプの眼内レンズの支持部形状は一般的に細い2本のフィラメント状をしている）、光学部も支持部も同一の軟質材料からなるタイプ（このタイプの支持部は一般的にプレート状）、あるいは支持部が複数本の薄い板状のタイプなどがある。【０００５】
また、眼内レンズを眼内に入れるために、細長い筒の中を通して眼内レンズを眼内に導入する構造を有した専用の眼内レンズ挿入器具が使用されることもある。このような眼内レンズ挿入器具を使用することにより、３ｍｍより小さい切開創口から眼内レンズを入れることが可能である。【０００６】
さらに近年では、眼内レンズの取り扱い時における細菌による汚染や、眼内レンズの取り扱い時に起こりうる操作ミスの可能性を排除するために、眼内レンズが予め眼内レンズ挿入器具内にセットされ、梱包、保管が可能なタイプの眼内レンズ挿入器具が開発されている（例えば、特許文献1）。【０００７】
ところが、このような眼内レンズ挿入器具では、レンズ進行軸の後方向に配置された支持部（以下、後方支持部という）が、眼内レンズの移動過程において、眼内レンズを押し出すためのプランジャーと挿入器具の通路内壁面との間に挟みこまれたり、プランジャーに絡みついたりするという問題があった。このような問題は、細いフィラメント状タイプの支持部を有する軟性眼内レンズや、薄い板状の支持部を有する眼内レンズにおいて、特に顕著である。【０００８】
また、このような眼内レンズ挿入器具では、眼内レンズの移動過程において、後方支持部が伸びてしまうと、眼球の小さな切開創からの挿入時に後方支持部が眼球外に残ってしまい、プランジャーでの押し出し後に、後方支持部を眼球内に入れるための再操作が必要となり、手術に手間がかかってしまうという問題があった。【０００９】
従って、眼内レンズ挿入器具を用いて、眼内レンズを眼内へ挿入するには、眼内レンズの移動過程において、眼内レンズの後方支持部の動きを適切に制御する必要がある。【００１０】
このような問題点に対して、プランジャー先端側部に隙間を設け、後方支持部をその隙間に収容することで後方支持部の破損を防ぐものが開示されている（例えば、特許文献2）。また、プランジャー下方側部に後方支持部逃がし用の通路を設けたものが開示されている（例えば、特許文献3）。さらに、プランジャーで後方支持部をランプ部分上に押し上げ、ハプティックスを曲げ上げてＩＯＬより上に曲げるものが開示されている（例えば、特許文献4）。このようにして、上記特許文献はいずれも、細いフィラメント状や細い板状の支持部を有する眼内レンズの後方支持部の挟み込みを軽減することができる。
【特許文献１】ＷＯ２００７／０３７２２３
【特許文献２】特表平１１−５０６３５７号公報
【特許文献３】米国特許第６７３３５０７号明細書
【特許文献４】特開２００４−３５１１９６号公報
【発明の概要】
【発明が解決しようとする課題】
【００１１】
しかしながら、上記特許文献2及び3では、プランジャー先端側部の隙間や、後方支持部逃がし用の通路に逃がした後方支持部が伸びてしまうので、眼球の小さな切開創から眼内レンズを挿入する際に、後方支持部が切開創の外に残ってしまうという問題が依然としてあった。特に、薄い板状の支持部を有する眼内レンズの場合には、支持部が太い軟質の部材で構成されているため、再操作には手間がかかるという問題があった。さらに、上記特許文献4では、小口径のノズル先端に適合させた小さなプランジャー先端で支持部を押すため、支持部を光学部より上に曲げ上げる際、あるいは眼内レンズが通路内を移動する際に、後方支持部が予期しない形に圧縮される懸念がある。【００１２】
そこで本発明は上記した問題点に鑑み、眼内レンズの移動過程において後方支持部の動きを適切に制御でき、また、眼内レンズの眼内への挿入後における再操作の可能性を低減できる眼内レンズ挿入器具を提供することを目的とする。
【課題を解決するための手段】
【００１３】
本発明の請求項１に係る発明は、光学部と、前記光学部の外縁に設けられた一又は二以上の支持部とを有する眼内レンズを設置するレンズ設置部と、前記眼内レンズを変形させる移行部と、前記眼内レンズを放出するノズル部と、前記レンズ設置部に設置された眼内レンズを押出すスライダーと、前記スライダーにより押し出された前記眼内レンズを前記ノズル部から放出するプランジャーとを備える眼内レンズ挿入器具において、前記スライダーは、レンズ進行軸の後方向に配置された前記支持部を押し上げる第１当接部と、前記眼内レンズの後方側の外縁部に当接する一又は二以上の第２当接部とを有することを特徴とする。【００１４】
本発明の請求項２に係る発明は、前記第２当接部が、レンズ進行軸に対して前記第１当接部よりも外側に設けられたことを特徴とする。【００１５】
本発明の請求項３に係る発明は、前記第１当接部が、レンズ進行方向に向かって下方へ傾斜していることを特徴とする。【００１６】
本発明の請求項４に係る発明は、少なくとも一つの前記第２当接部が、前記光学部の表面に対し略直角な面を有するｘ方向当接面と、前記光学部の表面に対し略平行な面を有するｙ方向当接面とを有することを特徴とする。【００１７】
本発明の請求項５に係る発明は、前記第２当接部へ前記光学部の外縁部を誘導する誘導部が設けられていることを特徴とする。【００１８】
本発明の請求項６に係る発明は、前記第２当接部が、レンズ進行軸を中心として左右一対設けられていることを特徴とする。
【発明の効果】
【００１９】
本発明によれば、スライダーに設けられた第１当接部が、レンズ進行軸の後方向に配置された前記支持部を押し上げることにより、眼内レンズの移動過程において後方支持部の動きを適切に制御でき、また、眼内レンズの眼内への挿入後における再操作の可能性を低減することができる。
【図面の簡単な説明】
【００２０】
【図１】本発明の第１実施形態に係る眼内レンズ挿入器具の全体構成を示す斜視図である。
【図２】本発明の第１実施形態に係るスライダーの構成を示す斜視図である。
【図３】本発明の第１実施形態に係るスライダーの構成を示す部分拡大斜視図である。
【図４】本発明の第１実施形態に係る眼内レンズ挿入器具の使用状態（１）を示す図であり、（Ａ）平面断面図、（Ｂ）縦断面図である。
【図５】本発明の第１実施形態に係る眼内レンズ挿入器具の使用状態（２）を示す図であり、（Ａ）平面断面図、（Ｂ）縦断面図である。
【図６】本発明の第１実施形態に係る眼内レンズ挿入器具の使用状態（３）を示す図であり、（Ａ）平面断面図、（Ｂ）縦断面図である。
【図７】本発明の第１実施形態に係る眼内レンズ挿入器具の使用状態（４）を示す図であり、（Ａ）平面断面図、（Ｂ）縦断面図である。
【図８】本発明の第１実施形態に係る眼内レンズ挿入器具の使用状態（５）を示す図であり、（Ａ）平面断面図、（Ｂ）縦断面図である。
【図９】本発明の第２実施形態に係るスライダーの構成を示す部分拡大斜視図である。
【図１０】本発明の第２実施形態に係る眼内レンズ挿入器具の使用状態（１）を示す図であり、（Ａ）平面断面図、（Ｂ）縦断面図である。
【図１１】本発明の第２実施形態に係る眼内レンズ挿入器具の使用状態（２）を示す図であり、（Ａ）平面断面図、（Ｂ）縦断面図である。
【図１２】本発明の第２実施形態に係る眼内レンズ挿入器具の使用状態（３）を示す図であり、（Ａ）平面断面図、（Ｂ）縦断面図である。
【図１３】本発明の第３実施形態に係るスライダーの構成を示す部分拡大斜視図である。
【図１４】本発明の第３実施形態に係るプランジャーの構成を示す部分拡大斜視図である。
【図１５】本発明の第３実施形態に係る眼内レンズ挿入器具の使用状態（１）を示す図であり、（Ａ）平面断面図、（Ｂ）縦断面図である。
【図１６】本発明の第３実施形態に係る眼内レンズ挿入器具の使用状態（２）を示す図であり、（Ａ）平面断面図、（Ｂ）縦断面図である。
【図１７】本発明の第３実施形態に係る眼内レンズ挿入器具の使用状態（３）を示す図であり、（Ａ）平面断面図、（Ｂ）縦断面図である。
【図１８】本発明の第３実施形態に係る眼内レンズ挿入器具の使用状態（４）を示す図であり、（Ａ）平面断面図、（Ｂ）縦断面図である。
【図１９】本発明の第３実施形態に係る眼内レンズ挿入器具の使用状態（５）を示す図であり、（Ａ）平面断面図、（Ｂ）縦断面図である。
【発明を実施するための形態】
【００２１】
１．第１実施形態
（１）基本的構成
以下、図面を参照して本発明の実施形態について詳細に説明する。
【００２２】
図1に示す眼内レンズ挿入器具１は、本体２と、前記本体２に取付けられたスライダー３及びプランジャー４を備え、前記本体２内に予め眼内レンズ５が設置されたプリセット型である。ここで、眼内レンズ５は、光学部６と前記光学部６の外縁に設けられた一対の支持部７とを有する。前記支持部７は、種々のものを用いることができるが、例えば、細い板状タイプを用いることができる。
【００２３】
尚、以下の説明において、本体２内を移動する眼内レンズ５の中心を通る軸をレンズ進行軸Ａとし、当該眼内レンズ５が進む方向を「進行方向ｘ」、下方向を「方向ｙ」ということとする。
【００２４】
本体２は、基端部８と、前記基端部８の進行方向ｘの先端に連結された挿入筒部９とからなる。基端部８の進行方向ｘの先端には、図示しないが、板状の部材からなるレンズ設置部が形成されており、当該レンズ設置部に眼内レンズ５が設置される。基端部８の側面には、レンズ進行軸Ａに平行に形成され先端まで延びるスリット12が形成されている。また、基端部８の先端には、挿入筒部９が一体的に連結され、これにより基端部８のレンズ設置部に設置された眼内レンズ５が内部に配置される。
【００２５】
挿入筒部９は、レンズ進行軸Ａに沿って、移行部10と、ノズル部11とが順に設けられている。移行部10は、内壁が先端に向かって先細となるすり鉢状に形成され、その先端が前記ノズル部11に連通している。ノズル部11は、その外形が切開創口（図示しない）へ挿入可能な形状に形成されている。
【００２６】
この眼内レンズ挿入器具１は、最初にスライダー３でレンズ設置部に設置された眼内レンズ５を押し出して移行部10へ移動させることにより、確実に所定形状に折り畳み、次いで、プランジャー４で当該眼内レンズ５を押し出してノズル部11へ移動させることにより、より小さく折り畳んで、眼内レンズ５をノズル部11の先端から眼内へ挿入し得るように構成されている。このように、眼内レンズ挿入器具１は、スライダー３、プランジャー４の順で２段階に分けて進行方向ｘへ眼内レンズ５を移動させながら、眼内レンズ５を所定形状に折り畳んで外部へ放出し得るように構成されている。
【００２７】
（２）スライダーの構成
次に上記した本体２に取付けられているスライダー３について、説明する。図2に示すように、スライダー３は、眼内レンズ５に局所的な負荷をかけずにレンズ設置部に設置された当該眼内レンズ５を移行部10へ押し出すと共に、所定形状に折り畳むことができるように構成されている。このスライダー３は、ガイド溝15、翼部16、操作部17及びレンズ押え部18を有する。
【００２８】
ガイド溝15は、プランジャー４をレンズ進行軸Ａに沿って支持し得るように構成されている。このガイド溝15は、前記プランジャー４が摺動可能、かつスライダー３の先端からプランジャー４の先端が突出可能に形成される。本実施形態では、ガイド溝15はスライダー３の一面の長さ方向の略中央であって、全長にわたって形成され、レンズ進行軸Ａに平行な溝で構成される。このガイド溝15の断面は、前記プランジャー４の外形と略同形状に形成される。ガイド溝15の基端には、扇状の導入路15aが形成されている。これにより、プランジャー４は、前記スライダー３に形成されたガイド溝15に挿通され、ガイド溝15内をスライダー３の長手方向に摺動する。
【００２９】
翼部16は、本体２に設けられたスリット12に挿入され、スライダー３をレンズ進行軸Ａに沿って支持し得るように構成されている。この翼部16は、前記スリット12に挿入されることにより、スライダー３を本体２略中央に保持し、かつ、スライダー３をレンズ進行軸Ａに沿って移動可能とする。したがって、プランジャー４は、スライダー３に形成されたガイド溝15に挿通されることにより、本体２の中央に保持され、レンズ進行軸Ａに沿って移動が可能となる。スライダー３の移動は前記操作部17により容易に行うことができる。
【００３０】
操作部17は、レンズ進行軸Ａに対し左右一対として設けられ、前記翼部16の側端部に連設され前記基端部８から両側に突出するように形成されている。
【００３１】
レンズ押え部18は、眼内レンズ５を押し出すときにのみ眼内レンズ５の一面を押えることにより、眼内レンズ５を一定方向に折り畳むことができるようにするものである。本実施形態では、レンズ押え部18が、眼内に挿入された際に前面になる眼内レンズ５の一面を、方向ｙへ押すことにより、眼内レンズ５はノズル部11内で一面を内側として折り畳まれる。このレンズ押え部18は、スライダー３の先端に設けられた板状部材からなり、方向ｙへ揺動自在に形成されている。
【００３２】
上記構成に加え、本実施形態に係るスライダー３は、図3に示すように、光学部６に対しレンズ進行軸Ａの後方向に配置された支持部７（以下、後方支持部7aという）を押し上げる第１当接部21と、前記光学部６の後方側の外縁部に当接する第２当接部22a,22bとを有する。
【００３３】
第１当接部21は、スライダー３の先端の中央に形成された進行方向ｘへ向かって方向ｙへ傾斜する傾斜面からなる。この第１当接部21の中央には、ガイド溝15が開口しており、当該ガイド溝15から進行方向ｘへプランジャー４の先端が突出し得る。また、第１当接部21の先端には、規制部23が形成されている。規制部23は、後方支持部7aが方向ｙへ変形して、スライダー３と本体２との間に挟まれて後方支持部7aが損傷することを防止する。本実施形態では、規制部23は、傾斜面の下端から進行方向ｘへ突出して形成されている。
【００３４】
第２当接部22a,22bは、第１当接部21の両側にそれぞれ設けられており、眼内レンズ５の光学部６の外周に当接し得るように構成されている。本実施形態では、第２当接部22a,22bが、スライダー３の先端から進行方向ｘへ突出して形成されており、少なくとも一方22aが、レンズ進行軸Ａより支持部７と光学部６の接続部分の外側の光学部６の外周に当接し得るように構成されている。
【００３５】
また、第２当接部22a,22bは、ｘ方向当接面24と、ｙ方向当接面25とを有する。ｘ方向当接面24は、光学部６の表面に対し直角な面で構成され、当該光学部６の外周を押し出し得るように形成されている。ｙ方向当接面25は、光学部６の表面に対し平行な面で構成され、後方支持部7aを十分に変形させる前に光学部６の外周近傍の表面が谷折されるのを抑制し得るように形成されている。
【００３６】
上記したように、本実施形態に係る眼内レンズ挿入器具１では、眼内レンズ５に接触する面積がプランジャー４よりも大きいスライダー３に、第１当接部21及び第２当接部22a,22bを設けたことにより、眼内レンズ５の移動過程において後方支持部7aの動きを適切に制御でき、また、眼内レンズ５の眼内への挿入後における再操作の可能性を低減することができる。
【００３７】
（３）動作及び効果
上記のように構成された眼内レンズ挿入器具１において、眼内レンズ５は、光学部６がレンズ進行軸Ａと平行に配置された状態で、内部に設置されている（図4）。このようにして、予め内部に配置された眼内レンズ５をノズル部11の先端から外部へ放出するには、先ず、スライダー３を進行方向ｘへ移動させる。そうすると、スライダー３の先端に形成された第１当接部21が、後方支持部7aに当接する（図5）。
【００３８】
さらにスライダー３を進行方向ｘへ移動させると、第１当接部21が傾斜面を有することにより、当該後方支持部7aが押し上げられる（図6）。同時に第２当接部22a,22bのｘ方向当接面24が光学部６に当接して押し出すことにより、眼内レンズ５がレンズ設置部から移行部10へ移動する。そうすると、光学部６は、外周が移行部10の内壁に押される。また、レンズ押え部18が移行部10の内壁に押され、光学部６の一面を方向ｙへ押す。このようにして、眼内レンズ５は、光学部６が谷折される。
【００３９】
次いで、プランジャー４を進行方向ｘへ移動させると、スライダー３のガイド溝15に支持されたプランジャー４の先端が光学部６の外周に当接する（図7）。第１当接部21によって押し上げられた後方支持部7aは、プランジャー４に沿って、先端が進行方向ｘへ向くように変形する。これにより、第１当接部21によって変形された後方支持部7aの先端は、谷折された光学部６の一面側に包み込まれる。
【００４０】
ここで、第２当接部22a,22bのｙ方向当接面25は、光学部６の外周近傍の表面が谷折されるのを抑制し得るように形成されているから、後方支持部7aの変形過程において、光学部６の外周が後方支持部7aと干渉することを防ぐことができる。従って、眼内レンズ挿入器具１は、谷折された光学部６の一面側に、後方支持部7aをより確実に入り込ませることができるので、眼内レンズ５をより確実に所定形状に変形させることができる。
【００４１】
また、第１当接部21には、規制部23が設けられていることにより、後方支持部7aが方向ｙへ変形することを防止することができる。従って、眼内レンズ挿入器具１は、眼内レンズ５をより確実に所定形状に変形させることができる。
【００４２】
次いで、プランジャー４をさらに進行方向ｘへ移動させることにより、眼内レンズ５は、移行部10からノズル部11へと移動し（図8）、より小さく折り畳まれた状態で、ノズル部11の先端から外部へ放出される。
【００４３】
上記したように、眼内レンズ挿入器具１は、第１当接部21で後方支持部7aを押し上げることにより、眼内レンズ５の移動過程において後方支持部7aの動きを適切に制御でき、また、眼内レンズ５の眼内への挿入後における再操作の可能性を低減することができる。
【００４４】
また、第１当接部21は、スライダー３に設けられていることにより、後方支持部7aとの接触面積を大きくすることができる。従って、本実施形態に係る眼内レンズ挿入器具１では、より安定的に後方支持部7aを変形させることができるので、後方支持部7aをより適切に制御することができる。
【００４５】
２．第２実施形態
以下図面を参照して本発明の第２実施形態について説明する。尚、本第２実施形態は、上記した第１実施形態に対し、スライダー３の先端部分の構成のみが異なる。従って、上記第１実施形態と同様の構成については同様の符号を付し、簡単のため、説明を省略する。
【００４６】
図9に示すスライダー30は、第２当接部22a,22bの少なくとも一方22aが、後方支持部7aと光学部６の接続部分と、レンズ進行軸Ａとの間の光学部６の外周に当接し得るように構成されている。また、スライダー30は、側面に切り欠き穴31が形成されており、後方支持部7aが外側から内側へ向かって挿通し得るように構成されている。
【００４７】
このように構成された本実施形態では、先ず、操作部17を把持してスライダー30を進行方向ｘへ移動させる。そうすると、スライダー30の先端に形成された第１当接部21が、後方支持部7aに当接する。
【００４８】
さらにスライダー30を進行方向ｘへ移動させると、後方支持部7aが押し上げられ、同時に第２当接部22のｘ方向当接面24が光学部６に当接して押し出すことにより、眼内レンズ５がレンズ設置部から移行部10へ移動する。そうすると、光学部６は、外周が移行部10の内壁に押されると共に、光学部６の一面がレンズ押え部18によって方向ｙへ押されることにより、谷折される（図10）。
【００４９】
次いで、プランジャー４を進行方向ｘへ移動させると、スライダー30のガイド溝15に支持されたプランジャー４の先端が光学部６の外周に当接する（図11）。第１当接部21によって押し上げられた支持部７は、プランジャー４に沿って、先端が進行方向ｘへ向くように変形する。これにより、第１当接部21によって変形された支持部７の先端は、谷折された光学部６の一面に包み込まれる。
【００５０】
次いで、プランジャー４をさらに進行方向ｘへ移動させることにより、眼内レンズ５は、移行部10からノズル部11へと移動し（図12）、より小さく折り畳まれた状態で、ノズル部11先端から外部へ放出される。
【００５１】
このように構成したことにより、本実施形態においても上記第1実施形態と同様に、眼内レンズ５の移動過程において後方支持部7aの動きを適切に制御でき、また、眼内レンズ５の眼内への挿入後における再操作の可能性を低減することができる。
【００５２】
３．第３実施形態
本実施形態に係るスライダー40は、図13に示すように、第１当接部21と、第２当接部22a,22bと、光学部６を第２当接部22bへ誘導する誘導部41とを有する。第２当接部22bは、後方支持部7aと光学部６の接続部分とは反対側に設けられており、光学部６または光学部６の外周に当接し得るように構成されている。また、第２当接部22bは、ｘ方向当接面24と、ｙ方向当接面25とを有する。一方、第２当接部22aは、ｘ方向当接面24のみを有する。
【００５３】
また、第２当接部22bのｙ方向当接面25は、規制部23と略同一平面、または、規制部23より方向ｙに離れた位置に形成される。本実施形態の場合、ｙ方向当接面25は、規制部23と同一平面に形成されている。
【００５４】
誘導部41は、進行方向ｘへ向かって方向ｙと逆方向へ傾斜する傾斜面で構成されている。誘導部41の下端は、ｙ方向当接面25につながっている。因みに、プランジャー44は、図14に示すような形状を有するものを使用することができる。
【００５５】
次に、上記のように構成されたスライダー40の動作及び効果について説明する。眼内レンズ５は、光学部６がレンズ進行軸Ａと平行に配置された状態で、レンズ設置部（図示しない）に設置されている（図15）。この眼内レンズ５をノズル部11の先端から外部へ放出するには、先ず、スライダー40を進行方向ｘへ移動させる。そうすると、スライダー40の先端に形成された第１当接部21が後方支持部7aに当接する（図16）。
【００５６】
さらにスライダー40を進行方向ｘへ移動させると、第１当接部21が傾斜面を有することにより、当該後方支持部7aが押し上げられる（図17）。同時に誘導部41が光学部６の一面を方向ｙへ押し付ける。そうすると、当該光学部６は、第２当接部22bへ誘導される。これにより、第２当接部22bのｘ方向当接面24と、第２の当接部22aのｘ方向当接面24とが光学部６に当接して押し出すことにより、眼内レンズ５がレンズ設置部から移行部10へ移動する。
【００５７】
ここで、スライダー40は、誘導部41により光学部６を第２当接部22bへ誘導するように構成したから、より確実に第２当接部22bを光学部６に当接させることができるので、より確実に眼内レンズ５を押し出すことができる。
【００５８】
このようにして光学部６は、外周が移行部10の内壁に押される。また、レンズ押え部18が移行部10の内壁に押され、光学部６の一面を方向ｙへ押す。このようにして、眼内レンズ５は、光学部６が谷折される。
【００５９】
次いで、プランジャー44を進行方向ｘへ移動させると、スライダー40のガイド溝15に支持されたプランジャー44の先端が光学部６の外周に当接する（図18）。第１当接部21によって押し上げられた後方支持部7aは、プランジャー44に沿って、先端が進行方向ｘへ向くように変形する。これにより、第１当接部21によって変形された後方支持部7aの先端は、谷折された光学部６の一面側に包み込まれる。
【００６０】
ここで、第２当接部22bのｙ方向当接面25は、光学部６の外周近傍の表面が谷折されるのを抑制し得るように形成されているから、後方支持部7aの変形過程において、光学部６の外周が後方支持部7aと干渉することを防ぐことができる。
【００６１】
特に本実施形態では、ｙ方向当接面25は、規制部23と同一平面に形成されていることにより、光学部６の外周が、規制部23および第１当接部21で変形された後方支持部7aより方向ｙの逆方向へ変形することが抑制される。したがって、スライダー40は、光学部６の外周が後方支持部7aと干渉することをより確実に防ぐことができるので、眼内レンズ５をより確実に所定形状に変形させることができる。
【００６２】
次いで、プランジャー44をさらに進行方向ｘへ移動させることにより、眼内レンズ５は、移行部10からノズル部11へと移動し（図19）、より小さく折り畳まれた状態で、ノズル部11の先端から外部へ放出される。
【００６３】
本実施形態に係るスライダー40は、第１当接部21や、規制部23を備えていることにより、上記第１実施形態と同様の効果を発揮し得る。
【００６４】
４．変形例
本発明は上記した実施形態に限定されるものではなく、本発明の趣旨の範囲内で適宜変更することが可能である。例えば、上記した実施形態では、第２当接部が合計２個設けられた場合について説明したが、本発明はこれに限らず、１個、又は３個以上としてもよい。
【００６５】
また、上記した実施形態では、一対の第２当接部が対称の形状を有する場合について説明したが、本発明はこれに限らず、非対称、例えば、一方の第２当接部が他方の第２当接部より、進行方向ｘへ長く突出していることとしてもよい。このようにすることで、眼内レンズ５を光軸に対して少し回すことができるので、前方に配置された支持部の制御が容易となる。
【符号の説明】
【００６６】
１    眼内レンズ挿入器具
２    本体
３    スライダー
４    プランジャー
５    眼内レンズ
６    光学部
７    支持部
7a    後方支持部
21    第１当接部
22    第２当接部
ｘ    進行方向
ｙ    方向（下方向）
Ａ    レンズ進行軸
【図１】
0005413918.tif 000002
【図２】
0005413918.tif 000003
【図３】
0005413918.tif 000004
【図４】
0005413918.tif 000005
【図５】
0005413918.tif 000006
【図６】
0005413918.tif 000007
【図７】
0005413918.tif 000008
【図８】
0005413918.tif 000009
【図９】
0005413918.tif 000010
【図１０】
0005413918.tif 000011
【図１１】
0005413918.tif 000012
【図１２】
0005413918.tif 000013
【図１３】
0005413918.tif 000014
【図１４】
0005413918.tif 000015
【図１５】
0005413918.tif 000016
【図１６】
0005413918.tif 000017
【図１７】
0005413918.tif 000018
【図１８】
0005413918.tif 000019
【図１９】
0005413918.tif 000020